【手続補正書】
【提出日】平成20年8月28日(2008.8.28)
【手続補正１】
【補正対象書類名】明細書
【補正対象項目名】発明の名称
【補正方法】変更
【補正の内容】
【発明の名称】画像処理装置およびその方法
【手続補正２】
【補正対象書類名】明細書
【補正対象項目名】特許請求の範囲
【補正方法】変更
【補正の内容】
【特許請求の範囲】
【請求項1】
デバイスのプロファイルを作成する画像処理装置の画像処理方法であって、
作成されたプロファイルを記憶手段の所定のフォルダに格納し、
前記プロファイルを作成する際の各種条件を前記記憶手段の履歴管理用のフォルダに格納することを特徴とする画像処理方法。
【請求項2】
前記各種条件を前記履歴管理用のフォルダに格納する処理は、ユーザが前記各種条件を格納するモードを指示した場合に行われることを特徴とする請求項1に記載された画像処理方法。
【請求項3】
さらに、ユーザの指示に応じて、前記作成されたプロファイルをエクスポートすることを特徴とする請求項1に記載された画像処理方法。
【請求項4】
出力デバイスの出力画像を読み取り、前記出力デバイスに従属する色空間とデバイス独立色空間の間で画像を双方向に変換するための複数の変換テーブルを作成する画像処理装置の画像処理方法であって、
変換テーブルの作成履歴に関する情報を、その変換テーブルとともに記憶手段に保存するためのユーザインタフェイスを提供することを特徴とする画像処理方法。
【請求項5】
さらに、変換テーブルの作成に使用された測色値を、その変換テーブルとともに前記記憶手段に保存するためのユーザインタフェイスを提供することを特徴とする請求項4に記載された画像処理方法。
【請求項6】
前記作成履歴に関する情報は、前記出力画像の作成時および保管時の状況を示す情報を含むことを特徴とする請求項4または請求項5に記載された画像処理方法。
【請求項7】
前記作成履歴に関する情報は、前記出力画像の測色時の状況を示す情報を含むことを特徴とする請求項4から請求項6の何れか一項に記載された画像処理方法。
【請求項8】
前記作成履歴に関する情報は、前記変換テーブルの作成時の状況を示す情報を含むことを特徴とする請求項4から請求項7の何れか一項に記載された画像処理方法。
【請求項9】
デバイスのプロファイルを作成する画像処理装置であって、
作成されたプロファイルを記憶手段の所定のフォルダに格納する第一の格納手段と、
前記プロファイルを作成する際の各種条件を前記記憶手段の履歴管理用のフォルダに格納する第二の格納手段とを有することを特徴とする画像処理装置。
【請求項10】
前記第二の格納手段は、ユーザから前記各種条件を格納するモードが指示された場合に前記各種条件を前記履歴管理用のフォルダに格納することを特徴とする請求項9に記載された画像処理装置。
【請求項11】
さらに、ユーザの指示に応じて、前記作成されたプロファイルをエクスポートする出力手段を有することを特徴とする請求項9に記載された画像処理装置。
【請求項12】
出力デバイスの出力画像を読み取り、前記出力デバイスに従属する色空間とデバイスに独立な色空間の間で画像を双方向に変換するための複数の変換テーブルを作成する画像処理装置であって、
変換テーブルの作成履歴に関する情報を、その変換テーブルとともに記憶手段に保存するためのユーザインタフェイスを提供する手段を有することを特徴とする画像処理装置。
【請求項13】
さらに、変換テーブルの作成に使用された測色値を、その変換テーブルとともに前記記憶手段に保存するためのユーザインタフェイスを提供する手段を有することを特徴とする請求項12に記載された画像処理装置。
【請求項14】
前記作成履歴に関する情報は、前記出力画像の作成時および保管時の状況を示す情報を含むことを特徴とする請求項12または請求項13に記載された画像処理装置。
【請求項15】
前記作成履歴に関する情報は、前記出力画像の測色時の状況を示す情報を含むことを特徴とする請求項12から請求項14の何れか一項に記載された画像処理装置。
【請求項16】
前記作成履歴に関する情報は、前記変換テーブルの作成時の状況を示す情報を含むことを特徴とする請求項12から請求項15の何れか一項に記載された画像処理装置。
【請求項17】
画像処理装置を制御して、請求項1から請求項8の何れか一項に記載された画像処理を実行することを特徴とするプログラム。
【請求項18】
請求項17に記載されたプログラムが記録されたことを特徴とするコンピュータが読み取り可能な記録媒体。
【手続補正３】
【補正対象書類名】明細書
【補正対象項目名】０００１
【補正方法】変更
【補正の内容】
【０００１】
【発明の属する技術分野】
本発明は、プリンタの色再現処理に関する。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００９
【補正方法】変更
【補正の内容】
【０００９】
本発明にかかる画像処理方法は、デバイスのプロファイルを作成する画像処理装置の画像処理方法であって、作成されたプロファイルを記憶手段の所定のフォルダに格納し、前記プロファイルを作成する際の各種条件を前記記憶手段の履歴管理用のフォルダに格納することを特徴とする。
【手続補正７】
【補正対象書類名】明細書
【補正対象項目名】００１０
【補正方法】変更
【補正の内容】
【００１０】
また、出力デバイスの出力画像を読み取り、前記出力デバイスに従属する色空間とデバイス独立色空間の間で画像を双方向に変換するための複数の変換テーブルを作成する画像処理装置の画像処理方法であって、変換テーブルの作成履歴に関する情報を、その変換テーブルとともに記憶手段に保存するためのユーザインタフェイスを提供することを特徴とする。
【手続補正８】
【補正対象書類名】明細書
【補正対象項目名】００１１
【補正方法】変更
【補正の内容】
【００１１】
本発明にかかる画像処理装置は、デバイスのプロファイルを作成する画像処理装置であって、作成されたプロファイルを記憶手段の所定のフォルダに格納する第一の格納手段と、前記プロファイルを作成する際の各種条件を前記記憶手段の履歴管理用のフォルダに格納する第二の格納手段とを有することを特徴とする。
【手続補正９】
【補正対象書類名】明細書
【補正対象項目名】００１２
【補正方法】変更
【補正の内容】
【００１２】
また、出力デバイスの出力画像を読み取り、前記出力デバイスに従属する色空間とデバイスに独立な色空間の間で画像を双方向に変換するための複数の変換テーブルを作成する画像処理装置であって、変換テーブルの作成履歴に関する情報を、その変換テーブルとともに記憶手段に保存するためのユーザインタフェイスを提供する手段を有することを特徴とする。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００６０
【補正方法】変更
【補正の内容】
【００６０】
測色計（分光光度計）1001および測色モジュール1002によって、出力デバイスにより印刷されたサンプル画像（例えば標準的なIT8や4320CMYK画像）の各カラーパッチを測色する。測色結果は、オンラインまたはオフラインでプロファイル生成モジュール1003に供給され、上記の実施形態で説明した方法により、ICC(International Color Consortium)の定義に従う、出力デバイスプロファイルであるデスティネーションプロファイル1101D（Lab→CMYK変換LUT: BtoA0）およびソースプロファイル1101S（デバイス値→Lab変換LUT: AtoB0）が作成される。
【手続補正１７】
【補正対象書類名】明細書
【補正対象項目名】００６３
【補正方法】変更
【補正の内容】
【００６３】
［測色処理］
図11に示す色変換モジュールは、例えばパーソナルコンピュータなどにソフトウェアとして供給され実現される。そして、モニタ1104に表示されるユーザインタフェイスにより、測色処理の実行を指示することができる。
【手続補正１８】
【補正対象書類名】明細書
【補正対象項目名】００８９
【補正方法】変更
【補正の内容】
【００８９】
［測色値のスムージング］
測色計1001は、その使用前に校正が行われるので、測色の精度は確保されている。しかし、ある程度の測色誤差があるのはやむを得ない。また、出力デバイス1010の状態により、良好に形成できなかったサンプル画像1011のカラーパッチもあり得る。そこで、必要に応じて、測定誤差や良好に形成できなかったカラーパッチの影響を抑制するために、Lab測色値にスムージングを施す。
【手続補正１９】
【補正対象書類名】明細書
【補正対象項目名】０１０２
【補正方法】変更
【補正の内容】
【０１０２】
［インタフェイス］
図11に示す色変換モジュールは、例えばパーソナルコンピュータなどにソフトウェアとして供給され実現される。そして、モニタ1104に表示されるユーザインタフェイスにより、上記のスムージングを行うか否かを設定することができる。
【手続補正２０】
【補正対象書類名】明細書
【補正対象項目名】０１０６
【補正方法】変更
【補正の内容】
【０１０６】
このように、本実施形態では、変換テーブルに対するスムージングは、デバイスCMYK→Lab変換テーブル1013およびLab→デバイスCMYK変換テーブル1014に対して独立に設定することができる。これに対して測色値のスムージングは独立に設定することができない。これは、各スムージングの目的の相違に基づくもので、つまり、測色値のスムージングは測色精度に対応した処理であり、変換テーブルのスムージングは各変換テーブルの変換処理結果に対応した処理だからである。
【手続補正２１】
【補正対象書類名】明細書
【補正対象項目名】０１１３
【補正方法】変更
【補正の内容】
【０１１３】
プロファイル生成モジュール1003によるプロファイルの生成が終了すると、ステップS31で、図27に一例を示すウィンドウがモニタ1104に表示され、オペレータはファイルの保存に関するパラメータ（保存場所およびプロファイル名）および測色値を保存するか否か、履歴管理情報を保存するか否かなどを設定する。なお、プロファイル名の拡張子にはデフォルトで「icc」が付く。また、測色値のファイル名および履歴管理情報のファイル名は、プロファイル名の拡張子だけを「it8」や「pbh」などに変えたものになる。
【手続補正２２】
【補正対象書類名】明細書
【補正対象項目名】０１１７
【補正方法】変更
【補正の内容】
【０１１７】
続いて、ステップS35で、図30に一例を示すウィンドウが表示され、オペレータはプロファイル作成時の状況（オペレータおよび備考）などを設定する。なお、プロファイル作成時には「測色値の白色点補正の有無」「測色値のスムージングの有無」、ルックアップテーブルに関する「最適化（精度優先または速度優先）」「スムージングの有無」「テーブル精度（8ビットまたは16ビット）」「ビット精度」などのパラメータが設定されるが、それらのパラメータは自動的に履歴管理情報に保存される。
【手続補正２３】
【補正対象書類名】明細書
【補正対象項目名】０１１８
【補正方法】変更
【補正の内容】
【０１１８】
次に、ステップS36で、設定したパラメータリストがモニタ1104に表示される。オペレータがパラメータの訂正・修正を希望する場合、処理はステップS31へ戻る。訂正・修正の必要がなければ、処理はステップS37へ進み、指定された保存場所、例えばメモリ1012の指定ディレクトリやフォルダ内に、例えばファイル名ddcp.iccのプロファイルが保存される。
【手続補正２４】
【補正対象書類名】明細書
【補正対象項目名】０１２５
【補正方法】変更
【補正の内容】
【０１２５】
ターゲットに従属するCMYK色空間のCMYKデータは、出力デバイスプロファイル1101のAtoB0タグ（ソースプロファイル1101S）によって、再びLabデータに変換される。そして、モニタプロファイル1103により、Labデータがモニタ1104に従属する色空間のRGBデータに変換され、モニタ1104に表示される。つまり、ターゲットによって印刷されるだろう画像、つまりプレビュー画像Bをモニタ1104に表示することができ、その色再現性を観察することができる。
【手続補正２５】
【補正対象書類名】明細書
【補正対象項目名】０１２６
【補正方法】変更
【補正の内容】
【０１２６】
さらに、ターゲットデバイスプロファイル1102によって変換されたLabデータを、モニタプロファイル1103により直接、RGBデータに変換して、モニタ1104にオリジナル画像Aとして表示すれば、出力デバイスプロファイル1101による色変換を受けたプレビュー画像B、および、受けていないオリジナル画像A（ターゲットデバイスが出力するであろう画像）をモニタ1104上で観察し比較することができる。従って、作成された出力デバイスプロファイル1101が適正か否かを、両画像を観察し比較して、確認することができる。
【手続補正２６】
【補正対象書類名】明細書
【補正対象項目名】０１２７
【補正方法】変更
【補正の内容】
【０１２７】
図13はモニタ1104に表示されるプレビュー画面の一例を示す図で、例えば左側にオリジナル画像Aが、右側にプレビュー画像Bが表示されている。なお、図13には両画像のウィンドウサイズが同じ例を示すが、マウスなどにより両ウィンドウのセンタを移動することにより、任意のウィンドウサイズになる。
【手続補正２７】
【補正対象書類名】明細書
【補正対象項目名】０１７１
【補正方法】削除
【補正の内容】
【手続補正２８】
【補正対象書類名】明細書
【補正対象項目名】０１７２
【補正方法】削除
【補正の内容】